(57)【要約】【課題】  排泄物を拭き取る介護者の不快な作業、更にはこれに伴う労力や時間を不要又は軽減するとともに、この際に使用するペーパーや水等の無駄を排除又は低減する。【解決手段】  使用者Ｈの少なくとも尻部Ｈｈを覆うおむつ本体３０の内側に重ねて使用するおむつ用補助シートであって、おむつ本体３０の内側或いは使用者Ｈの腰部Ｈｗに固定する帯状部２と、この帯状部２から延出し、使用者Ｈに装着した際に尻部Ｈｈを覆うとともに、使用者Ｈの肛門部Ｈａに対応する位置に形成した排泄物Ｅが通過可能な開孔部３ｓを有するカバー部３と、このカバー部３から延出し、使用者Ｈの股下Ｈｆｄを通すことにより使用者Ｈの腹部Ｈｓに位置する帯状部２に固定可能な少なくとも一つのバンド部４ｐ，４ｑとを、シート部材Ｓにより一体に形成する。【選択図】  図１
2010264084.tif 000002
【特許請求の範囲】
【請求項１】
使用者の少なくとも尻部を覆うおむつ本体の内側に重ねて使用するおむつ用補助シートであって、前記おむつ本体の内側及び／又は使用者の腰部に固定する帯状部と、この帯状部から延出し、使用者に装着した際に尻部を覆うとともに、使用者の肛門部に対応する位置に形成した排泄物が通過可能な開孔部を有するカバー部と、このカバー部から延出し、使用者の股下を通すことにより使用者の腹部に位置する前記帯状部に固定可能な少なくとも一つのバンド部とを、シート部材により一体に形成してなることを特徴とするおむつ用補助シート。
【請求項２】
前記シート部材は、紙素材により形成することを特徴とする請求項１記載のおむつ用補助シート。
【請求項３】
前記シート部材は、中間部における一又は二以上の位置に上下に伸縮可能な弾性伸縮部を有することを特徴とする請求項１又は２記載のおむつ用補助シート。
【請求項４】
前記バンド部は、左バンド部と右バンド部を備えることを特徴とする請求項１，２又は３記載のおむつ用補助シート。
【請求項５】
使用者の少なくとも尻部を覆うおむつ本体及びこのおむつ本体の内側に重ねて使用するおむつ用補助シートとを備えるおむつであって、前記おむつ用補助シートを、前記おむつ本体の内側及び／又は使用者の腰部に固定する帯状部と、この帯状部から延出し、使用者に装着した際に尻部を覆うとともに、使用者の肛門部に対応する位置に形成した排泄物が通過可能な開孔部を有するカバー部と、このカバー部から延出し、使用者の股下を通すことにより使用者の腹部に位置する前記帯状部に固定可能な少なくとも一つのバンド部とを、シート部材により一体に形成してなることを特徴とするおむつ。
【請求項６】
前記おむつ本体と前記おむつ用補助シートは、別体に又は一体に備えることを特徴とする請求項５記載のおむつ。
【発明の詳細な説明】
【技術分野】
【０００１】
本発明は、おむつ本体の内側に重ねて使用する特に介護用の使い捨て紙おむつ等に用いて好適なおむつ用補助シート及びこのおむつ用補助シートを有するおむつに関する。
【背景技術】
【０００２】
従来、使用者（被介護者）の介護等に用いる使い捨ての紙おむつとしては、特許文献１に開示されるテープ式紙おむつ、及び特許文献２で開示されるテープ型おむつなどが知られている。
【０００３】
同文献１に開示されるテープ式紙おむつは、少なくとも、表面側に配置されるトップシートと、裏面側に配置されるバックシートと、各シート間に介在された吸収体とによりおむつ本体が構成され、該おむつ本体の背部側の両サイドパネル部にファスニングテープを有してなる使い捨てのテープ式紙おむつであって、サイドパネル部の幅方向を伸縮部と非伸縮部とに区画された２区画以上の領域により構成したものであり、このテープ式紙おむつによれば、サイドパネル部を綺麗に折り畳めるようにして介護者等がおむつ交換等の作業を容易に行うことができる。また、同文献２に開示されるテープ型おむつは、吸収体と、吸収体の表面を被覆するように配置され、少なくとも一部が液透過性材料からなるトップシートとを備えるとともに、前身頃、股下部及び後身頃の各部から構成されており、後身頃の左右の各側縁から延出するように配置され、前身頃と後身頃とを固定するための止着テープを備え、さらに、吸収体の裏面側の最外シートであるバックシートと吸収体との間のおむつ幅方向中心領域に蒿高部材が配置されたものであり、このテープ型おむつによれば、介護者がおむつの中心線を認識して的確な位置に装着できる。
【先行技術文献】
【特許文献】
【０００４】
【特許文献１】特開２００５−２８７８７１号公報
【特許文献２】特開２００８−０８６６６０号公報
【発明の概要】
【発明が解決しようとする課題】
【０００５】
しかし、上述したテープ式紙おむつ及びテープ型おむつをはじめ、従来におけるこの種のおむつは、次のような問題点があった。
【０００６】
第一に、使用者の排泄物が使用者自身の身体にも大量に付着してしまうため、介護者はおむつを交換する際に、身体に付着した排泄物を拭き取る作業が必要となり、介護者にとってはできるだけ避けたい不快な作業を強いられ、この作業に伴う介護者の労力や時間の浪費を招くとともに、排泄物の付着に伴う使用者における肉体的及び精神的な不快感も無視できない。
【０００７】
第二に、使用者の身体に付着した排泄物を拭き取る際にはペーパーやタオル等を必要とするため、この際に使用するペーパー或いはタオルを濯ぐ水等の無駄な消費を招く。特に、このような作業は毎日繰り返し行われることから、ペーパーや水等の頻繁な消費は資源の節減、更には経済性の面からも不利になる。
【０００８】
本発明は、このような背景技術に存在する課題を解決したおむつ用補助シート及びおむつの提供を目的とするものである。
【課題を解決するための手段】
【０００９】
本発明に係るおむつ用補助シート１は、上述した課題を解決するため、使用者Ｈの少なくとも尻部Ｈｈを覆うおむつ本体３０の内側に重ねて使用するおむつ用補助シートであって、おむつ本体３０の内側（身体側）及び／又は使用者Ｈの腰部Ｈｗに固定する帯状部２と、この帯状部２から延出し、使用者Ｈに装着した際に尻部Ｈｈを覆うとともに、使用者Ｈの肛門部Ｈａに対応する位置に形成した排泄物Ｅが通過可能な開孔部３ｓを有するカバー部３と、このカバー部３から延出し、使用者Ｈの股下Ｈｆｄを通すことにより使用者Ｈの腹部Ｈｓに位置する帯状部２に固定可能な少なくとも一つのバンド部４ｐ，４ｑとを、シート部材Ｓにより一体に形成してなることを特徴とする。
【００１０】
また、本発明に係るおむつ２０は、上述した課題を解決するため、使用者Ｈの少なくとも尻部Ｈｈを覆うおむつ本体３０及びこのおむつ本体３０の内側に重ねて使用するおむつ用補助シート１とを備えるおむつであって、おむつ用補助シート１を、おむつ本体３０の内側（身体側）及び／又は使用者Ｈの腰部Ｈｗに固定する帯状部２と、この帯状部２から延出し、使用者Ｈに装着した際に尻部Ｈｈを覆うとともに、使用者Ｈの肛門部Ｈａに対応する位置に形成した排泄物Ｅが通過可能な開孔部３ｓを有するカバー部３と、このカバー部３から延出し、使用者Ｈの股下Ｈｆｄを通すことにより使用者Ｈの腹部Ｈｓに位置する帯状部２に固定可能な少なくとも一つのバンド部４ｐ，４ｑとを、シート部材Ｓにより一体に形成してなることを特徴とする。
【００１１】
この場合、発明の好適な態様により、シート部材Ｓは、紙素材Ｓｐにより形成することができるとともに、中間部における一又は二以上の位置に上下に伸縮可能な弾性伸縮部１１ｕ，１１ｄを設けることができる。また、バンド部４ｐ…は、左バンド部４ｐと右バンド部４ｑにより構成することが望ましい。なお、おむつ本体３０とおむつ用補助シート１は、別体に構成してもよいし、或いは一体に構成してもよい。
【発明の効果】
【００１２】
このような構成を有する本発明に係るおむつ用補助シート１及びおむつ２０によれば、次のような顕著な効果を奏する。
【００１３】
（１）  おむつ用補助シート１は、帯状部２と、この帯状部２から延出した開孔部３ｓを有するカバー部３と、このカバー部３から延出したバンド部４ｐ…とを、シート部材Ｓにより一体に形成してなるため、排泄物Ｅが使用者Ｈ自身の身体に大量に付着してしまう不具合を解消又は大幅に低減できる。したがって、介護者にとってのできるだけ避けたい不快な作業、更にはこれに伴う介護者の労力や時間を不要又は大幅に軽減できるとともに、排泄物Ｅの付着に伴う使用者における肉体的及び精神的な不快感を排除できる。
【００１４】
（２）  おむつ用補助シート１により、使用者Ｈ自身の身体に付着した排泄物Ｅを排除又は大幅に低減できるため、排泄物Ｅを拭き取る際に使用するペーパーやタオル等を濯ぐ水等を不要又は大幅に低減できる。したがって、ペーパーや水等の資源節減を図れるとともに、経済性を高めることができる。
【００１５】
（３）  好適な態様により、シート部材Ｓを紙素材Ｓｐにより形成すれば、おむつ用補助シート１をおむつ本体３０の素材と同一化できるため、使用時の違和感等を回避して快適な使用感を確保できる。
【００１６】
（４）  好適な態様により、シート部材Ｓの中間部における一又は二以上の位置に上下に伸縮可能な弾性伸縮部１１ｄ…を設ければ、身体に対するおむつ用補助シート１の密着性をより高めることができるため、身体に対する排泄物Ｅの付着防止効果をより高めることができる。
【００１７】
（５）  好適な態様により、バンド部４ｐ…を左バンド部４ｐと右バンド部４ｑにより構成すれば、バンド部４ｐ…を装着する際における股下Ｈｆｄの中央位置を避けることができるため、安定した装着性を確保できるとともに、おむつ用補助シート１の密着性をより高めることができる。
【００１８】
（６）  好適な態様により、おむつ本体３０とおむつ用補助シート１を別体に構成すれば、市販されている各種メーカーのおむつ（おむつ本体３０）をそのまま利用できるなど、汎用性を高めることができる。
【００１９】
（７）  好適な態様により、おむつ本体３０とおむつ用補助シート１を一体に構成すれば、おむつ本体３０とおむつ用補助シート１を良好にマッチングさせることができるため、商品性及び利便性の高いおむつ２０を提供することができる。
【図面の簡単な説明】
【００２０】
【図１】本発明の好適実施形態に係るおむつ用補助シートとおむつ本体の使用前の平面図、
【図２】同おむつ用補助シートとおむつ本体の中央位置における側面断面図、
【図３】同おむつ用補助シートの使用時における斜視図、
【図４】同おむつ用補助シートとおむつ本体の使用説明図、
【図５】同おむつ用補助シートとおむつ本体の使用時の状態を示す断面図、
【図６】同おむつ用補助シートとおむつ本体の使用時の他の状態を示す断面図、
【図７】本発明の変更実施形態に係るおむつ用補助シートの使用前の平面図、
【図８】本発明の好適実施形態に係るおむつの使用前の平面図、
【発明を実施するための形態】
【００２１】
次に、本発明に係る好適実施形態を挙げ、図面に基づき詳細に説明する。
【００２２】
まず、本実施形態に係るおむつ用補助シート１の構成について、図１〜図４を参照して説明する。
【００２３】
図１は、おむつ用補助シート１とこのおむつ用補助シート１を用いるおむつ本体３０を示す。このおむつ用補助シート１とおむつ本体３０は別体であり、おむつ用補助シート１はおむつ本体３０の内側に重ねて使用することができる。
【００２４】
なお、おむつ本体３０は、市販されている一般的な介護用（大人用）の使い捨て紙おむつをそのまま利用することができる。したがって、おむつ本体３０は、図１に示すように、使用者（被介護者）の身体の前側（腹側）を覆う広幅となる前身頃部３１と、身体の股下を覆う狭幅となる股下部３２と、身体の後側（背中側）を覆う広幅となる後身頃部３３を備え、主たる素材として不織布等を用いて全体が構成される。この場合、股下部３２の左右両側には、ゴム等を含めて構成した漏れ防止用の弾性伸縮部３２ｐ，３２ｑを有するとともに、股下部３２の内側には図に現れない吸収体を有する。また、後身頃部３３の左右両端には、この後身頃部３３の両端を前身頃部３１の両端にそれぞれ固定するための計四個所に配した接着テープ等を用いた止着テープ３４…を有し、この止着テープ３４…は剥離紙により覆われている。
【００２５】
おむつ用補助シート１は、シート部材Ｓにより一体に形成する。シート部材Ｓとしては、紙素材Ｓｐ、望ましくはおむつ本体３０の主たる素材と同じ不織布等を用いて一体形成する。このように、シート部材Ｓを、紙素材Ｓｐにより形成すれば、おむつ用補助シート１をおむつ本体３０の素材と同一化できるため、使用時の違和感等を回避して快適な使用感を確保できる利点がある。
【００２６】
おむつ用補助シート１は、上部に位置する帯状部２と、中間部に位置するカバー部３と、下部に位置するバンド部４ｐ…を有する。帯状部２は、使用者Ｈの腰部Ｈｗ（図４参照）に巻付けて固定できるように、広幅となる短冊状に形成する。したがって、帯状部２の一端側における内面（身体側）には剥離紙により覆われた接着テープ等を用いた止着テープ５ｂを有する。さらに、帯状部２の外面には止着テープ５ｂと同様の止着テープ５ａを有し、この止着テープ５ａにより帯状部２をおむつ本体３０側に固定することができる。
【００２７】
カバー部３は、帯状部２の下端部から下方に延出し、装着した際に使用者Ｈの尻部Ｈｈ（図４参照）を覆う大きさ及び形状に形成する。また、カバー部３における使用者Ｈの肛門部Ｈａ（図４参照）に対応する位置には開孔部３ｓを形成する。例示の開孔部３ｓは円形であり、この開孔部３ｓは排泄物Ｅが通過可能な大きさに選定する。なお、開孔部３ｓを無用に大きくすれば、排泄物Ｅが身体に付着する面積を広げることになるため、必要以上に大きくならないように留意する。
【００２８】
バンド部４ｐ…は、二本のバンド部、即ち、左バンド部４ｐと右バンド部４ｑにより構成する。各バンド部４ｐ，４ｑは、カバー部３の下端部から下方に延出し、使用者Ｈの股下Ｈｆｄ（図４参照）を通すことにより、使用者Ｈの腹部Ｈｓに位置する帯状部２に固定できるように、それぞれ細長い短冊状に形成する。したがって、各バンド部４ｐ，４ｑの先端（下端）側の表面には止着テープ５ｂと同様の止着テープ５ｐ，５ｑをそれぞれ有する。このように、バンド部４ｐ…を左バンド部４ｐと右バンド部４ｑにより構成すれば、バンド部４ｐ…を装着する際における股下Ｈｆｄの中央位置を避けることができるため、安定した装着性を確保できるとともに、おむつ用補助シート１の密着性をより高めることができる利点がある。
【００２９】
次に、本実施形態に係るおむつ用補助シート１の使用方法及び機能について、図４〜図６を参照して説明する。
【００３０】
まず、おむつ本体３０として、市販されている介護用（大人用）の使い捨て紙おむつを用意し、図４（ａ）に示すように、通常の使用方法に従って使用者（被介護者）Ｈが横たわる布団やベッド等の上面所定位置に広げて敷く。また、おむつ用補助シート１を用意し、広げたおむつ本体３０の上面（内面）に重なるように広げて敷く。この際、おむつ用補助シート１における帯状部２の外面に設けた止着テープ５ａから剥離紙を離脱し、止着テープ５ａをおむつ本体３０の後身頃部３３に貼付けることにより、おむつ用補助シート１をおむつ本体３０の所定位置に固定する。この場合、図３に示すように、おむつ用補助シート１を身体に装着した際にカバー部３の開孔部３ｓが使用者Ｈの肛門部Ｈａの真下となるようにその位置を選定する。そして、おむつ用補助シート１及びおむつ本体３０の上に使用者Ｈを寝かせる。図４（ａ）に示す仮想線は寝かせた状態の使用者Ｈを示す。
【００３１】
次いで、使用者Ｈに対して、最初に、おむつ用補助シート１を装着する。まず、帯状部２を使用者Ｈの腰部Ｈｗに巻付けて固定する。即ち、帯状部２の一端に設けた止着テープ５ｂの剥離紙を離脱し、この止着テープ５ｂを帯状部２の他端に貼付けることにより、帯状部２の一端を他端に固定する。これにより、帯状部２は、図３に示すように、リング状となり使用者Ｈの腰部Ｈｗに巻付けられる。
【００３２】
この後、図４（ｂ）に示すように、左バンド部４ｐを使用者Ｈの股下Ｈｆｄにおける左側を通すことにより身体の前側に至らせる。そして、先端に設けた止着テープ５ｐから剥離紙を離脱し、この止着テープ５ｐを使用者Ｈの腹部Ｈｓに位置する帯状部２の上面、望ましくは左寄りの位置に貼付け、左バンド部４ｐを帯状部２に結合する。同様に、右バンド部４ｑを股下Ｈｆｄにおける右側を通すことにより身体の前側に至らせる。そして、先端に設けた止着テープ５ｑから剥離紙を離脱し、この止着テープ５ｑを使用者Ｈの腹部Ｈｓに位置する帯状部２の上面、望ましくは右寄りの位置に貼付け、右バンド部４ｑを帯状部２に結合する。これにより、使用者Ｈの尻部Ｈｈは、カバー部３により覆われるとともに、カバー部３の開孔部３ｓは使用者Ｈの肛門部Ｈａの真下に位置する。この場合、上述した止着テープ５ｂを貼り付ける際には、帯状部２が身体に密着するように留意するとともに、止着テープ５ｐ，５ｑを貼り付ける際には、カバー部３が尻部Ｈｈに密着するように留意する。
【００３３】
次いで、使用者Ｈに対して、おむつ本体３０を装着する。この場合、おむつ本体３０に定められた通常の装着方法に従って装着することができる。例示の場合、まず、図４（ｃ）に示すように、前身頃部３１を使用者Ｈの股下Ｈｆｄを通して前側の腹部Ｈｓに至らせる。そして、背中側に位置する後身頃部３３の左側に設けた二つの止着テープ３４，３４から剥離紙を離脱し、腹部Ｈｓに載せた前身頃部３１の左側に貼付けることにより、後身頃部３３の左側を前身頃部３１の左側に固定（結合）する。また、後身頃部３３の右側に設けた二つの止着テープ３４，３４から剥離紙を離脱し、腹部Ｈｓに載せた前身頃部３１の右側に貼付けることにより、後身頃部３３の右側を前身頃部３１の右側に固定（結合）する。これにより、おむつ本体３０の股下部３２は、使用者Ｈの股下Ｈｆｄに位置するとともに、このおむつ本体３０によりおむつ用補助シート１の全体が覆われる。以上により、使用者Ｈに対するおむつ用補助シート１及びおむつ本体３０の装着が終了する。
【００３４】
図５は、使用者Ｈにおむつ用補助シート１及びおむつ本体３０を装着した状態におけるカバー部３及び股下部３２の一部の断面を拡大して示す。カバー部３に設けた開孔部３ｓは使用者Ｈの肛門部Ｈａの真下に位置している。
【００３５】
一方、図５の状態において使用者Ｈが排便した場合を想定する。図６は、このときの状態を示している。この場合、使用者Ｈからの排泄物Ｅは、矢印Ｆｅ…のように開孔部３ｓを通っておむつ本体３０の股下部３２上に至る。おむつ用補助シート１のカバー部３は、おむつ本体３０の股下部３２に対して使用者Ｈの身体により密着した状態にあるため、排泄物Ｅはカバー部３と股下部３２間に形成される空間Ｐｓ内に蓄積される。また、空間Ｐｓ内に蓄積される排泄物Ｅは、おむつ用補助シート１のカバー部３により遮蔽されるため、使用者Ｈの身体（尻部Ｈｈ）に付着することが防止される。
【００３６】
よって、このような本実施形態に係るおむつ用補助シート１によれば、帯状部２と、この帯状部２から延出した開孔部３ｓを有するカバー部３と、このカバー部３から延出したバンド部４ｐ…とを、シート部材Ｓにより一体に形成してなるため、排泄物Ｅが使用者Ｈ自身の身体に大量に付着してしまう不具合を解消又は大幅に低減できる。したがって、介護者にとってのできるだけ避けたい不快な作業、更にはこれに伴う介護者の労力や時間を不要又は大幅に軽減できるとともに、排泄物Ｅの付着に伴う使用者における肉体的及び精神的な不快感を排除できる。また、おむつ用補助シート１により、使用者Ｈ自身の身体に付着した排泄物Ｅを排除又は大幅に低減できるため、排泄物Ｅを拭き取る際に使用するペーパーやタオル等を濯ぐ水等を不要又は大幅に低減できる。したがって、ペーパーや水等の資源節減を図れるとともに、経済性を高めることができる。特に、おむつ用補助シート１は、おむつ本体３０に対して別体に構成するため、市販されている各種メーカーのおむつ（おむつ本体３０）をそのまま利用できるなど、汎用性を高めることができる。
【００３７】
次に、本発明の変更実施形態に係るおむつ用補助シート１について、図７を参照して説明する。
【００３８】
図７に示す変更実施形態に係るおむつ用補助シート１は、図１に示したおむつ用補助シート１において、シート部材Ｓの中間部における一又は二以上の位置に上下に伸縮可能な弾性伸縮部１１ｕ…を設けたものである。図７は、帯状部２とカバー部３間に弾性伸縮部１１ｕを設けた例を示すが、仮想線で示すように、カバー部３と各バンド部４ｐ，４ｑ間に、弾性伸縮部１１ｕの代わりとして、又は弾性伸縮部１１ｕに追加して、弾性伸縮部１１ｄを設けてもよい。この弾性伸縮部１１ｕ，１１ｄは、前述したおむつ本体３０における弾性伸縮部３２ｐ…と同様にゴム等を含ませて構成することができる。このように、シート部材Ｓの中間部における一又は二以上の位置に上下に伸縮可能な弾性伸縮部１１ｄ…を設ければ、身体に対するおむつ用補助シート１の密着性をより高めることができるため、身体に対する排泄物Ｅの付着防止効果をより高めることができる。
【００３９】
次に、本発明の他の形態に係るおむつ２０について、図８を参照して説明する。
【００４０】
図８に示すおむつ２０は、図７（又は図１）に示したおむつ用補助シート１とおむつ本体３０を一体に構成したものである。なお、この場合の一体とは、セットにした場合も含む。したがって、おむつ用補助シート１とおむつ本体３０は予め一体化したものはもちろんのこと、商品としては分離した状態にあってもよい。おむつ２０は、おむつ用補助シート１の帯状部２を、おむつ本体３０の後身頃部３３の内面に固定部５ｘ，５ｙを介して固定する。したがって、この場合、帯状部２は身体側に巻き付ける必要がないため、横方向の長さは、図８に示すように、カバー部３の横幅よりもやや長い程度に選定できる。また、おむつ本体３０を使用者Ｈに装着した後に、おむつ用補助シート１を装着する必要があるため、おむつ本体３０の前身頃部３１の下端辺に切欠部３１ｃを形成することにより、おむつ用補助シート１の各バンド部４ｐ，４ｑの先端側を切欠部３１ｃ内に露出させている。これにより、後身頃部３３を前身頃部３１に固定し、おむつ本体３０を使用者Ｈに装着した後に、おむつ用補助シート１における各バンド部４ｐ，４ｑを帯状部２に固定できる。このような形態であっても前述したおむつ用補助シート１とおむつ本体３０を別体に構成した場合と同様に使用できるとともに、同様の効果を得ることができる。このように、おむつ本体３０とおむつ用補助シート１を一体に構成すれば、おむつ本体３０とおむつ用補助シート１を良好にマッチングさせることができるため、商品性及び利便性の高いおむつ２０を提供することができる。
【００４１】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。
【００４２】
例えば、左右二つのバンド部４ｐ，４ｑを設けた場合を示したが、中間部に開口を設けた一つのバンド部であってもよい。また、おむつ用補助シート１は、図１に示すように、一枚のシート部材Ｓから連続形成してもよいし、帯状部２，カバー部３，バンド部４ｐ…を別体に形成したものを繋ぎ合わせてもよい。この場合、必要により、帯状部２，カバー部３，バンド部４ｐ…の各素材に異なる素材を用いることができる。さらに、シート部材Ｓとして、紙素材（不織布）Ｓｐを例示したが合成樹脂素材等の他の素材を排除するものではない。
【産業上の利用可能性】
【００４３】
本発明に係るおむつ用補助シート及びおむつは、介護用（大人用）の使い捨て紙おむつに利用して好適であるが、その他、健康な大人や幼児、更には各種動物等にも同様に利用することができる。
【符号の説明】
【００４４】
１：おむつ用補助シート，２：帯状部，３：カバー部，３ｓ：開孔部，４ｐ：バンド部（左バンド部），４ｑ：バンド部（右バンド部），１１ｕ：弾性伸縮部，１１ｄ：弾性伸縮部，２０：おむつ，３０：おむつ本体，Ｈ：使用者（被介護者），Ｈｈ：尻部，Ｈｗ：腰部，Ｈａ：肛門部，Ｈｓ：腹部，Ｈｆｄ：股下，Ｅ：排泄物，Ｓ：シート部材，Ｓｐ：紙素材
【図１】
2010264084.tif 000003
【図２】
2010264084.tif 000004
【図３】
2010264084.tif 000005
【図４】
2010264084.tif 000006
【図５】
2010264084.tif 000007
【図６】
2010264084.tif 000008
【図７】
2010264084.tif 000009
【図８】
2010264084.tif 000010